(57)【要約】【課題】ＬＡＰＤ試験のとき、プロトコルアナライザ等の試験機もしくはＩＳＤＮ対応交換機との接続を不要とする。【解決手段】通信回線１０８と、ＬＡＰＤ終端装置１０６と、第１及び第２通信端末１０２及び１０４とを具える。ＬＡＰＤ終端装置に、ＬＡＰＤ終端部１１６と、試験フレーム変換部１２０とを設ける。第１及び第２通信端末の送信フレームデータを、ＬＡＰＤ終端部を介して通信回線に出力し、この通信回線の途中で折り返させて、ＬＡＰＤ終端装置に再び入力させる。試験フレーム変換部は、ＬＡＰＤ試験のとき、通信回線から入力される送信フレームデータを改編することによって、第１及び第２通信端末のいずれかの端末の受信フレームデータに変換し、しかる後ＬＡＰＤ終端部を介して、第１及び第２通信端末のいずれかに受信フレームデータを出力する。【選択図】      図１
2004253864.tif 000002
【特許請求の範囲】
【請求項１】
ＬＡＰＤの試験を行うＬＡＰＤ試験装置であって、
通信回線と、
該通信回線に接続されたＬＡＰＤ終端装置と、
該ＬＡＰＤ終端装置に接続された第１及び第２通信端末とを具えており、
前記ＬＡＰＤ終端装置は、ＬＡＰＤを終端するＬＡＰＤ終端部と、試験フレーム変換部とを含み、かつ当該ＬＡＰＤ終端装置には、前記第１及び第２通信端末から前記ＬＡＰＤ終端部を介して前記通信回線に出力されて、該通信回線の途中で折り返して戻る送信フレームデータが、当該通信回線から入力されるとともに、
試験フレーム変換部は、ＬＡＰＤ試験のとき、前記通信回線から入力される前記送信フレームデータを改編することによって、該送信フレームデータを前記第１及び第２通信端末のいずれかの端末の受信フレームデータに変換し、しかる後前記ＬＡＰＤ終端部を介して、前記第１及び第２通信端末のいずれかに前記受信フレームデータを出力することを特徴とするＬＡＰＤ試験装置。
【請求項２】
請求項１に記載のＬＡＰＤ試験装置において、
前記ＬＡＰＤ試験を、端末割り当てに関する第１試験と、該第１試験後に行われる、呼制御に関する第２試験とするとき、
前記第１試験のときにおける前記送信フレームデータを第１のＬＡＰＤフレームデータとするとともに、前記第２試験のときにおける前記送信フレームデータを第２のＬＡＰＤフレームデータとし、
かつ前記試験フレーム変換部は、
前記通信回線から入力される前記第１及び第２のＬＡＰＤフレームデータを認識するための前処理を行う前処理部と、
前記前処理部で認識された前記第１及び第２のＬＡＰＤフレームデータの改編を、
（ａ）前記第１及び第２のＬＡＰＤフレームデータのそれぞれのコマンドレスポンスフィールドビット（Ｃ／Ｒビット）を反転させ、
（ｂ）前記第１試験のとき、メッセージ種別をＩＤ割当の識別とし、及び動作表示（Ａｉ）に、前記第１通信端末及び前記第２通信端末のいずれかの通信端末に対応する端末終端点識別子（ＴＥＩ値）を選択し、
（ｃ）前記第２試験のとき、端末終端点識別子サブフィールドが前記第１通信端末に対応するＴＥＩ値である場合、該ＴＥＩ値を前記第２通信端末に対応するＴＥＩ値に変換し、及び前記端末終端点識別子サブフィールドが前記第２通信端末に対応するＴＥＩ値である場合、該ＴＥＩ値を前記第１通信端末に対応するＴＥＩ値に変換し、及び、
（ｄ）フレームチェックシーケンスフィールド（ＦＣＳ値）を新たに付与することによって行うデータ改編部と、
該データ改編部において改編されたフレームデータに対する後処理を行い前記受信フレームデータを生成する後処理部とを具えることを特徴とするＬＡＰＤ試験装置。
【請求項３】
ＬＡＰＤの試験を行うＬＡＰＤ試験装置であって、
データ折り返し部と、
該データ折り返し部にそれぞれの一端が接続される複数の通信回線と、
該複数の通信回線のそれぞれの他端に接続されたＬＡＰＤ終端装置と、
該ＬＡＰＤ終端装置に接続された複数の通信端末とを具えており、
これら複数の通信端末のうち、所定の２つの通信端末の一方を第１通信端末とし、及び他方を第２通信端末とし、
かつ前記ＬＡＰＤ終端装置は、ＬＡＰＤを終端するＬＡＰＤ終端部と、試験フレーム変換部とを有しており、及び当該ＬＡＰＤ終端装置には、前記第１及び第２通信端末から前記ＬＡＰＤ終端部を介して前記複数の通信回線のいずれかに出力されて、前記データ折り返し部で折り返して戻る送信フレームデータが、前記複数の通信回線のいずれかより入力されるとともに、
試験フレーム変換部は、ＬＡＰＤ試験のとき、前記通信回線から入力される前記送信フレームデータを改編することによって、該送信フレームデータを前記第１及び第２通信端末のいずれかの端末の受信フレームデータに変換し、しかる後前記ＬＡＰＤ終端部を介して、前記第１及び第２通信端末のいずれかに前記受信フレームデータを出力することを特徴とするＬＡＰＤ試験装置。
【請求項４】
請求項３に記載のＬＡＰＤ試験装置において、
前記試験フレーム変換部は、それぞれ、前記複数の通信回線の各々と対応する、複数のデータ処理部を具えており、かつ前記ＬＡＰＤ試験を、端末割り当てに関する第１試験と、該第１試験後に行われる、呼制御に関する第２試験とするとき、
前記第１試験のときにおける前記送信フレームデータを第１のＬＡＰＤフレームデータとするとともに、前記第２試験のときにおける前記送信フレームデータを第２のＬＡＰＤフレームデータとし、
かつ前記データ処理部は、
当該データ処理部と対応する前記通信回線から入力される前記第１及び第２のＬＡＰＤフレームデータを認識するための前処理を行う前処理部と、
前記前処理部で認識された前記第１及び第２のＬＡＰＤフレームデータの改編を、
（ａ）前記第１及び第２のＬＡＰＤフレームデータのそれぞれのコマンドレスポンスフィールドビット（Ｃ／Ｒビット）を反転させ、
（ｂ）前記第１試験のとき、メッセージ種別をＩＤ割当の識別とし、及び動作表示（Ａｉ）に、前記第１通信端末及び前記第２通信端末のいずれかの通信端末に対応する端末終端点識別子（ＴＥＩ値）を選択し、
（ｃ）前記第２試験のとき、端末終端点識別子サブフィールドが前記第１通信端末に対応するＴＥＩ値である場合、該ＴＥＩ値を前記第２通信端末に対応するＴＥＩ値に変換し、及び前記端末終端点識別子サブフィールドが前記第２通信端末に対応するＴＥＩ値である場合、該ＴＥＩ値を前記第１通信端末に対応するＴＥＩ値に変換し、及び、
（ｄ）フレームチェックシーケンスフィールド（ＦＣＳ値）を新たに付与することによって行うデータ改編部と、
該データ改編部において改編されたフレームデータに対する後処理を行い前記受信フレームデータを生成する後処理部とを具えることを特徴とするＬＡＰＤ試験装置。
【請求項５】
請求項３もしくは４のいずれか一項に記載のＬＡＰＤ試験装置において、
前記試験フレーム変換部は、
方路決定前処理部と、
前記複数の通信端末のそれぞれに割り当てられたＴＥＩ値と、前記複数の通信回線のそれぞれとの対応関係を方路情報として有する方路決定部と、
方路選択部とを含み、
かつ当該試験フレーム変換部には、前記第１及び第２通信端末から前記ＬＡＰＤ終端部を介して出力される前記送信フレームデータが入力されるとともに、
前記方路決定前処理部は、前記試験フレーム変換部に入力された前記送信フレームデータを認識するための前処理を行い、
前記方路決定部は、前記方路情報に基づいて、前記方路決定前処理部で認識された前記送信フレームデータを前記複数の通信回線のいずれに出力するかをデータ出力情報として決定し、
前記方路選択部は、
前記方路決定部から前記データ出力情報を受け取って、前記複数の通信回線のうち前記データ出力情報に基づいて所定の通信回線を選択し、該所定の通信回線に前記送信フレームデータを出力することを特徴とするＬＡＰＤ試験装置。
【発明の詳細な説明】
【０００１】
【発明の属する技術分野】
この発明は、通信端末間における、Ｄチャネル・リンク・アクセス手順（Ｌｉｎｋ  Ａｃｃｅｓｓ  Ｐｒｏｃｅｄｕｒｅ  ｏｎ  ｔｈｅ  Ｄ−ｃｈａｎｎｅｌ（リンク・アクセス・プロシジャー・オン・ザ・Ｄチャネル）（以下、ＬＡＰＤと称する））のモニタを行うＤチャネル試験装置に関する。
【０００２】
【従来の技術】
サービス総合ディジタル網（Ｉｎｔｅｇｒａｔｅｄ  Ｓｅｒｖｉｃｅｓ  Ｄｉｇｉｔａｌ  Ｎｅｔｗｏｒｋ（インテグレイティッド・サービス・ディジタル・ネットワーク）（以下、ＩＳＤＮと称する））は、国際的にはＩＴＵ（ＩＴＵは国際電気通信連合の略称）の場で、ＩＴＵ−Ｔ（Ｔは電気通信標準化部門の略称）勧告のＩシリーズで標準化されている。従来公知のＩＳＤＮのユーザー・網インターフェースのレイヤ構造によれば、第１層（レイヤ１）では、基本インターフェース及び一次速度群インターフェースのいずれか一方が規定されている。これら、基本インターフェース及び一次速度群インターフェースはいずれも、１つのＤチャネルが使用可能である。
【０００３】
また、従来公知のユーザー・網インターフェースのレイヤ構造によれば、Ｄチャネルの第２層（レイヤ２）プロトコルとして、ＬＡＰＤ（Ｑ．９２１）が規定され、また、Ｄチャネルの第３層（レイヤ３）プロトコルとして、呼制御手順（Ｑ．９３１）が規定されている。従来よりよく知られているように、ＬＡＰＤ（Ｑ．９２１）は、シーケンシャルな（順序性のある）フレーム構成を有しており、Ｑ．９３１は、このＬＡＰＤのフレームを利用して転送される。
【０００４】
ところで、従来のＤチャネルの試験装置では、ＩＳＤＮのサービスを利用して通信を行う場合、ユーザーが使用する通信端末は、ＬＡＰＤ終端装置を介してディジタル加入者線である通信回線に接続される（例えば、特許文献１参照。）。特許文献１に開示された試験装置では、通信端末において送受信されるレイヤ２プロトコル（ＬＡＰＤ）のフレームの確認が行われる。すなわち、特許文献１に開示の従来の試験装置によれば、網側、すなわち通信端末と通信回線を介して接続されるＩＳＤＮ対応交換機側において、試験機を用いて、当該通信端末において送受信されるＬＡＰＤフレームの確認を行う。このような試験方法を、第１の試験方法とする。
【０００５】
一方、第２の試験方法としては、ＩＳＤＮ対応交換機と接続された２つ以上の通信端末間で、ＬＡＰＤフレームの送受信が正常に行われるか否かを試験する方法がある。これら第１及び第２の試験方法のそれぞれについて、以下に第１〜第３試験パターンとして具体的に説明する。
【０００６】
［第１試験パターン］
第１試験パターンは、第１の試験方法による試験パターンである。第１試験パターンの試験装置の構成例としては、例えば、通信端末とＩＳＤＮ対応交換機とを接続する通信回線に、プロトコルアナライザ等の試験機を接続する構成がある。
【０００７】
試験機をプロトコルアナライザとした場合、このプロトコルアナライザは、ＬＡＰＤフレームを作成して、通信回線を介して通信端末へ送信する。プロトコルアナライザから、すなわち、網側から送信されたＬＡＰＤフレームを受信した通信端末は、このフレームに応答して、新たにＬＡＰＤフレームを作成し、網側へ送信する。網側では、このＬＡＰＤフレームを、プロトコルアナライザが通信回線を介して受信する。
【０００８】
第１試験パターンでは、プロトコルアナライザに、予め所望の格納手段を設けておき、プロトコルアナライザにおいて送受信されるフレームをこの格納手段に格納する。そして、試験終了後、当該プロトコルアナライザにおいて、格納手段に格納されたフレームを確認することによって、通信端末が、ＬＡＰＤフレームの送受信を正常に行っているか否かを確認する。
【０００９】
また、上述したように、通信端末は、ＬＡＰＤ終端装置を介して通信回線に接続されている。従って、第１試験パターンでは、ＬＡＰＤ終端装置に格納手段を設けておき、試験時に、この格納手段に通信端末で送受信されるフレームを格納し、試験終了後、この格納手段に格納されたフレームについて、所望の確認手段によって確認を行うことも可能である。具体的には、この確認手段をプロトコルアナライザ等の開発装置とし、ＬＡＰＤ終端装置の格納手段をトレースすることによってデバッグを行い、確認する。
【００１０】
［第２試験パターン］
第２試験パターンは、第２の試験方法による試験パターンである。第２試験パターンでは、通信回線に接続された１つのＬＡＰＤ終端装置に、第１及び第２通信端末の２つの通信端末を接続する。そして、第１及び第２通信端末間で、通信回線を介してＬＡＰＤフレームの送受信を行う。通信回線にはＩＳＤＮ対応交換機が設けられており、第１及び第２通信端末によるＬＡＰＤフレームの送受信は、このＩＳＤＮ対応交換機を介して行われる。
【００１１】
第２試験パターンでは、ＬＡＰＤ終端装置に予め所望の格納手段を設けておき、この格納手段に、第１及び第２通信端末において送受信されるＬＡＰＤフレームを格納する。そして、試験終了後、この格納手段に格納されたフレームについて、所望の確認手段によって確認を行う。この確認は、上述した第１試験パターンと同様、確認手段としてプロトコルアナライザ等の開発装置を用いて行われる。
【００１２】
［第３試験パターン］
第３試験パターンは、第２の試験方法による試験パターンである。第３試験パターンの構成例によれば、第１通信端末を第１ＬＡＰＤ終端装置に接続し、及び第２通信端末を第２ＬＡＰＤ終端装置に接続しておき、これら第１及び第２通信端末間で、第１及び第２ＬＡＰＤ終端装置及び通信回線を介してＬＡＰＤフレームの送受信を行う。第２試験パターンと同様、第１及び第２通信端末によるＬＡＰＤフレームの送受信は、ＩＳＤＮ対応交換機を介して行われる。第３試験パターンでは、第１及び第２通信端末で送受信されるＬＡＰＤフレームの確認は、上述した第２試験パターンと同様の手順によって行う。
【００１３】
【特許文献１】
特開平５−１５３２４５号公報
【非特許文献１】
“「ＩＮＳネットサービスのインターフェース」、技術参考資料、第２分冊（レイヤ１、レイヤ２編）第４版、第３部レイヤ２仕様、第２項データリンクレイヤ相互間通信のためのフレーム構成”、ＮＴＴ東日本、インターネット＜ＵＲＬ：ｈｔｔｐ：／／ｗｗｗ．ｎｔｔ−ｅａｓｔ．ｃｏ．ｊｐ／ＩＳＤＮ／ｔｅｃｈ／ｓｐｅｃ／２．４ｐｄｆ／２−３．ｐｄｆ＞
【００１４】
【発明が解決しようとする課題】
上述したように、従来のＬＡＰＤ試験装置では、通信端末の送信フレームデータは、通信回線を介して、プロトコルアナライザ等の試験機もしくはＩＳＤＮ対応交換機に入力される。また、従来のＬＡＰＤ試験装置によれば、通信端末における、通信回線への送信フレームデータの送信及び通信回線からの受信フレームデータの受信は、ＬＡＰＤ終端装置を介して行う必要がある。すなわち、具体的に説明すると、従来より良く知られているように、通信端末は、ＬＡＰＤ終端装置においてＬＡＰＤを終端するＬＡＰＤ終端部を介して、送信フレームデータの送信及び受信フレームデータの受信を行う。
【００１５】
ここで、従来のＬＡＰＤ試験装置では、通信端末の送信フレームデータがＩＳＤＮ対応交換機に入力されると、ＩＳＤＮ対応交換機は入力された送信フレームデータを改編し、改編されたＬＡＰＤフレームデータを通信回線に出力する。ＩＳＤＮ対応交換機から出力されたこのＬＡＰＤフレームデータは、通信端末に接続されたＬＡＰＤ終端装置におけるＬＡＰＤ終端部で、通信端末の受信フレームデータとして受信することができる。
【００１６】
また、従来のＬＡＰＤ試験装置では、既に説明した第１試験パターンのように、ＩＳＤＮ対応交換機を介するＬＡＰＤフレームの送受信を行わない場合は、プロトコルアナライザ等の試験機で、前述したＬＡＰＤ終端部で受信可能な受信フレームデータを作成する必要があった。
【００１７】
従って、既に説明した従来のＬＡＰＤ試験装置によれば、試験を行うためのシステムが大規模となるため、このシステムを立ち上げるために膨大な時間を要する。また、上述した従来のＬＡＰＤ試験装置として、既存のシステムを利用することも可能であるが、そのための手間が煩雑となる。
【００１８】
一方、上述した第２及び第３試験パターンでは、初期デバックの際、開発装置からの保証されないデータによって交換機の動作が保証できなくなり、その結果、試験を行うためのシステムの再立ち上げが必要となることもある。このような事態が起きる原因としては、具体的に、ＬＡＰＤフレームを利用して転送されるレイヤ３のフレームに、シーケンス（順序）の誤りがあること、もしくはフレーム送出のタイミング、フレームデータ、及びフレームの受信に問題があること等が挙げられる。これらの問題点についての検証、及び試験を行うためのシステムを立ち上げるのには膨大な時間を要する。
【００１９】
この発明は、以上説明したような問題点に鑑み成されたものであり、従ってこの発明の目的は、ＬＡＰＤ試験を行うときに、プロトコルアナライザ等の試験機、もしくはＩＳＤＮ対応交換機との接続が不要なＬＡＰＤ試験装置を提供することにある。
【００２０】
【課題を解決するための手段】
上述した目的を達成するため、第１発明のＬＡＰＤ試験装置によれば、通信回線と、この通信回線に接続されたＬＡＰＤ終端装置と、このＬＡＰＤ終端装置に接続された第１及び第２通信端末とを具えている。また、第１発明のＬＡＰＤ試験装置において、ＬＡＰＤ終端装置には、ＬＡＰＤを終端するＬＡＰＤ終端部と、試験フレーム変換部とを設けてある。
【００２１】
第１発明のＬＡＰＤ試験装置によれば、第１及び第２通信端末の送信フレームデータを、ＬＡＰＤ終端部を介して通信回線に出力し、この通信回線の途中で折り返させ、当該通信回線からＬＡＰＤ終端装置に再び入力させるようにしてある。そして、第１発明のＬＡＰＤ試験装置において、試験フレーム変換部は、ＬＡＰＤ試験を行うとき、通信回線から入力される送信フレームデータを改編することによって、送信フレームデータを第１及び第２通信端末のいずれかの端末の受信フレームデータに変換し、しかる後、ＬＡＰＤ終端部を介して、第１及び第２通信端末のいずれかに受信フレームデータを出力する。
【００２２】
この受信フレームデータは、ＬＡＰＤ終端部において受信可能なデータである。よって、第１発明のＬＡＰＤ試験装置では、ＬＡＰＤフレームデータを作成するためのプロトコルアナライザ、及びＩＳＤＮ対応交換機は設置することなく、第１及び第２通信端末間でＬＡＰＤに関する試験を行うことができる。すなわち、第１発明のＬＡＰＤ試験装置は、ＩＳＤＮ対応交換機を用いて試験を行う試験装置のように大規模なシステムとはならないため、システムを立ち上げるための時間を従来と比較して大幅に短縮することができ、その結果、デバッグに要する時間も含めた試験時間を大幅に短縮することができる。
【００２３】
また、第１発明のＬＡＰＤ試験装置では、ＬＡＰＤフレームデータを作成するためのプロトコルアナライザ等の試験機が不必要であるため、プロトコルアナライザ等の試験機の、ＬＡＰＤフレームデータ作成に関するプログラムの作成も行う必要が無いという効果を得ることもできる。
【００２４】
次に、第２発明のＬＡＰＤ試験装置によれば、データ折り返し部と、このデータ折り返し部にそれぞれの一端が接続される複数の通信回線と、この複数の通信回線のそれぞれの他端に接続されたＬＡＰＤ終端装置と、このＬＡＰＤ終端装置に接続された複数の通信端末とを具えている。また、第２発明のＬＡＰＤ試験装置において、ＬＡＰＤ終端装置には、ＬＡＰＤを終端するＬＡＰＤ終端部と、試験フレーム変換部とを設けてある。
【００２５】
第２発明のＬＡＰＤ試験装置では、複数の通信端末のうち、所定の２つの通信端末の一方を第１通信端末とし、及び他方を第２通信端末とし、これら第１及び第２通信端末の送信フレームデータを、ＬＡＰＤ終端部を介して複数の通信回線のいずれかに出力し、データ折り返し部で折り返させ、及び複数の通信回線のいずれかよりＬＡＰＤ終端装置に再び入力させるようにする。そして、第２発明のＬＡＰＤ試験装置によれば、試験フレーム変換部は、ＬＡＰＤ試験を行うとき、通信回線から入力される送信フレームデータを改編し、第１及び第２通信端末のいずれかの端末の受信フレームデータに変換した後、ＬＡＰＤ終端部を介して、第１及び第２通信端末のいずれかに受信フレームデータを出力する。
【００２６】
第２発明のＬＡＰＤ試験装置によれば、ＬＡＰＤ試験の際、複数の通信回線のいずれかよりＬＡＰＤ終端装置に入力される第１及び第２通信端末の送信フレームデータは、第１発明のＬＡＰＤ試験装置と同様にして、試験フレーム変換部において処理される。その結果、第２発明のＬＡＰＤ試験装置では、第１発明のＬＡＰＤ試験装置と同様の効果を得ることができる。
【００２７】
また、第２発明のＬＡＰＤ試験装置では、第１及び第２通信端末を一組の通信端末とすれば、複数の通信端末より複数組の通信端末を選択し、かつこれら選択された複数組の通信端末において、ＬＡＰＤ試験を同時に行うことも可能である。この際、ＬＡＰＤ終端装置では、複数組の通信端末が通信を行うため、輻輳制御が行われる。よって、第２発明のＬＡＰＤ試験装置によれば、ＬＡＰＤ試験を行うとき、ＬＡＰＤ終端装置における、前述した輻輳制御の正常性及び過負荷性について確認を行うことが出来る。
【００２８】
【発明の実施の形態】
以下、図を参照して、この発明の実施の形態について説明する。また、以下の説明に用いる各図において、同様な構成要素については、同一の符号を付して示し、重複する説明を省略することもある。
【００２９】
［第１の実施の形態］
１．ＬＡＰＤ試験装置の構成
第１発明のＬＡＰＤ試験装置に係る実施の形態を、第１の実施の形態として説明する。図１に、この実施の形態のＬＡＰＤ試験装置１００の構成例を示す。ＬＡＰＤ試験装置１００は、通信回線１０８と、この通信回線１０８に接続されたＬＡＰＤ終端装置１０６と、このＬＡＰＤ終端装置１０６に接続された第１及び第２通信端末１０２及び１０４とを具えている。
【００３０】
また、図１に示すように、ＬＡＰＤ終端装置１０６には、当該ＬＡＰＤ終端装置１０６のファームウェアであるプログラムメモリ部１１８と、このプログラムメモリ部１１８より命令を取り出して、この命令を実行するＣＰＵ１１４と、Ｄチャネルのレイヤ２プロトコルであるＬＡＰＤを終端するＬＡＰＤ終端部１１６と、試験フレーム変換部１２０とを設けてある。
【００３１】
尚、プログラムメモリ部１１８は、好ましくは、ＲＯＭ等の不揮発性メモリを用いて構成されている。また、プログラムメモリ部１１８と、ＣＰＵ１１４と、ＬＡＰＤ終端部１１６と、試験フレーム変換部１２０とは、それぞれ、バス１２２を介して互いに接続されるのが好適である。上述したＣＰＵ１１４による命令の取り出しは、このバス１２２を介して行われるのが望ましい。
【００３２】
ところで、この実施の形態でも、以下に説明するように、上述した従来技術と同様、第１及び第２通信端末１０２及び１０４におけるＬＡＰＤフレームデータの送受信は、ＬＡＰＤ終端部１１６を介して行われる。
【００３３】
ＬＡＰＤ終端部１１６は、例えばＣＰＵ等によって構成される第１基本処理部１１７を有している。この第１基本処理部１１７は、当該ＬＡＰＤ終端部１１６を介して送受信されるレイヤ３のプロトコルを解析し、しかる後、解析したレイヤ３のプロトコルを、プログラムメモリ部１１８から逐次命令を取り出して、この命令を実行することによって、実現する。
【００３４】
また、ＬＡＰＤ終端部１１６において第１基本処理部１１７は、前述したＬＡＰＤフレームデータの送受信において何らかの障害が生じた場合、この障害を検出して、この障害に対する処理を行う。この処理は、第１基本処理部１１７がプログラムメモリ部１１８から逐次命令を取り出して、この命令を実行することによって行われる。そして、プログラムメモリ部１１８には、第１基本処理部１１７が検出した、前述した障害に関する情報が、当該第１基本処理部１１７によって格納される。
【００３５】
また、第１基本処理部１１７は、第１及び第２通信端末１０２及び１０４におけるＬＡＰＤフレームデータの送受信の回数を統計情報として、プログラムメモリ部１１８に格納する。
【００３６】
すなわち、プログラムメモリ部１１８は、ＬＡＰＤ終端部１１６において第１基本処理部１１７がレイヤ３プロトコルを実行するための情報（命令）、第１基本処理部１１７が検出した障害に関する情報、この障害に関する処理を第１基本処理部１１７が行うための情報（命令）、及び統計情報等のそれぞれの情報を格納することによって、これらの情報を管理する。尚、上述したＬＡＰＤ終端部１１６によるプログラムメモリ部１１８からの各情報の取り出し及び格納は、図１に示すバス１２２を介して行われる。
【００３７】
この実施の形態のＬＡＰＤ試験装置１００によれば、第１及び第２通信端末１０２及び１０４の送信フレームデータを、ＬＡＰＤ終端部１１６を介して通信回線１０８に出力し、この出力された送信フレームデータを通信回線１０８の途中で折り返させて、当該通信回線１０８からＬＡＰＤ終端装置１０６に再び入力させるように構成してある。
【００３８】
ここで、この実施の形態では、上述した通信回線１０８とＬＡＰＤ終端装置１０６との接続は、この通信回線１０８が、試験フレーム変換部１２０を介してＬＡＰＤ終端部１１６と接続されるように行われる。また、図１に示すように、好ましくは、ＬＡＰＤ試験装置１００に、通信回線１０８と接続されるデータ折り返し部１１０を設け、前述した通信回線１０８における送信フレームデータの折り返しは、データ折り返し部１１０にて行う。
【００３９】
尚、この実施の形態では、データ折り返し部１１０を予めＬＡＰＤ終端装置１０６内に設けておき、ＬＡＰＤ終端装置１０６内で前述した送信フレームデータの折り返しを行っても良い。また、データ折り返し部１１０を設ける代わりに、通信回線１０８の両端を予めＬＡＰＤ終端装置１０６に接続することによって、この通信回線１０８に出力された送信フレームデータが、当該通信回線１０８内で折り返されて、ＬＡＰＤ終端装置１０６に再び入力されるようにしてもよい。
【００４０】
この実施の形態では、上述したように、通信回線１０８からＬＡＰＤ終端装置１０６に入力される送信フレームデータは、試験フレーム変換部１２０に入力される。ここで、図１に示すように、この実施の形態の試験フレーム変換部１２０は、例えばＣＰＵ等によって構成される第２基本処理部１２１を有している。この第２基本処理部１２１は、ＬＡＰＤ試験のとき、通信回線１０８から入力される送信フレームデータを改編し、第１及び第２通信端末１０２及び１０４のいずれかの端末の受信フレームデータに変換した後、ＬＡＰＤ終端部１１６を介して、第１及び第２通信端末１０２及び１０４のいずれかに受信フレームデータを出力する。試験フレーム変換部１２０における送信フレームデータの改編について詳細は後述する。
【００４１】
尚、この実施の形態によれば、ＬＡＰＤ試験のときにデバッグを行う開発装置として、プロトコルアナライザ１１２を通信回線１０８と接続して設けるのが好ましい。このプロトコルアナライザ１１２は、ＬＡＰＤ試験のとき、通信回線１０８において伝送される、第１及び第２通信端末１０２及び１０４の送信フレームデータを内部メモリに格納するのが望ましい。尚、第１通信端末１０２の送信フレームデータは、第２通信端末１０４の受信フレームデータであって、第２通信端末１０４の送信フレームデータは、第１通信端末１０２の受信フレームデータである。よって、プロトコルアナライザ１１２は、内部メモリに格納された第１及び第２通信端末１０２及び１０４の送信フレームデータを確認することによってデバッグを行うことができる。
【００４２】
次に、図１に示す試験フレーム変換部１２０の構成について、図２を参照して説明する。図２には、試験フレーム変換部１２０の構成例を示してある。ここで、図１を参照して説明したように、第１及び第２通信端末１０２及び１０４と、試験フレーム変換部１２０との間では、ＬＡＰＤフレームデータの送受信が行われる。この送受信では、ディジタル信号の入出力がＬＡＰＤ終端部１１６を介して行われる。図２には、試験フレーム変換部１２０に対するＬＡＰＤ終端部１１６からのディジタル信号の入力点、及び試験フレーム変換部１２０からＬＡＰＤ終端部１１６へのディジタル信号の出力点を、端末側信号入出力部１５０として示してある。
【００４３】
また、図１を参照して説明したように、試験フレーム変換部１２０には、通信回線１０８から送信フレームデータがディジタル信号として入力される。図２には、試験フレーム変換部１２０に対する通信回線１０８からのディジタル信号の入力点、及び試験フレーム変換部１２０から通信回線１０８へのディジタル信号の出力点を、網側信号入出力部１４８として示してある。
【００４４】
さらに、図２に示すように、試験フレーム変換部１２０には、第１信号経路１４４及び第２信号経路１４６の２つの信号経路が設けられるのが好ましい。端末側信号入出力部１５０もしくは網側信号入出力部１４８から、第１信号経路１４４及び第２信号経路１４６のうちいずれか一方の信号経路にディジタル信号の入力、及び第１信号経路１４４及び第２信号経路１４６のうちいずれか一方の信号経路から端末側信号入出力部１５０もしくは網側信号入出力部１４８にディジタル信号の出力が行われるのが好適である。
【００４５】
この実施の形態によれば、試験フレーム変換部１２０において、第２基本処理部１２１は、第１信号経路１４４に設けられるのが好ましい。そして、この第２基本処理部１２１は、第１信号経路１４４に網側信号入出力部１４８から端末側信号入出力部１５０に向かって順次設けられる、前処理部１２４と、データ改編部１２６と、後処理部１２８とを有している。さらに、図２に示す試験フレーム変換部１２０の構成によれば、前処理部１２４は、フラグ検出部１３２と０削除部１３４とを有している。
【００４６】
データ改編部１２６は、Ｃ／Ｒ（Ｃｏｍｍａｎｄ／Ｒｅｓｐｏｎｓｅ：コマンド／レスポンス）反転、ＴＥＩ（Ｔｅｘｔ  Ｅｎｃｏｒｄｉｎｇ  Ｉｎｉｔｉａｔｉｖｅ：テキスト・エンコーディング・イニシアティブ）付与部１３６と、フレームチェックシーケンス（以下、ＦＣＳと略す）付与部１３８とを有している。後処理部１２８は、０（ゼロ）挿入部１４０とフラグ挿入部１４２とを有している。
【００４７】
図２に示すように、第２基本処理部１２１において、第１信号経路１４４には、網側信号入出力部１４８から端末側信号入出力部１５０に向かって、順次、フラグ検出部１３２と、０削除部１３４と、Ｃ／Ｒ反転、ＴＥＩ付与部１３６と、ＦＣＳ付与部１３８と、０挿入部１４０と、フラグ挿入部１４２とが設けられるのが好ましい。
【００４８】
また、図２に示すように、試験フレーム変換部１２０には、端末側信号入出力部１５０と接続される出力信号選択部１３０が設けられるのが望ましい。ここで、図２に示すように、網側信号入出力部１４８から試験フレーム変換部１２０に入力されるディジタル信号は、この試験フレーム変換部１２０において分岐されて、第１信号経路１４４及び第２信号経路１４６のそれぞれに入力される。第１信号経路１４４に入力されたディジタル信号は、前処理部１２４及びデータ改編部１２６を経て、後処理部１２８から出力される。後処理部１２８から出力されるディジタル信号、及び第２信号経路１４６から出力されるディジタル信号は、出力信号選択部１３０に入力される。
【００４９】
この実施の形態では、出力信号選択部１３０は、ＬＡＰＤ試験の際、第１信号経路１４４のディジタル信号、すなわち後処理部１２８から出力されるディジタル信号を選択して端末側信号入出力部１５０に出力させる。一方、通常の通信の際には、出力信号選択部１３０は、第２信号経路１４６のディジタル信号を選択して端末側信号入出力部１５０に出力させる。
【００５０】
また、出力信号選択部１３０は、端末側信号入出力部１５０から入力されるディジタル信号についても、網側信号入出力部１４８から入力されたディジタル信号と同様の選択処理を行って、第１及び第２信号経路１４４及び１４６のいずれかに出力させる。
【００５１】
この実施の形態によれば、端末側信号入出力部１５０から出力信号選択部１３０に入力され、この出力信号選択部１３０から第１信号経路１４４に出力されるディジタル信号は、後処理部１２８及びデータ改編部１２６を経て前処理部１２４に入力され、この前処理部１２４から網側信号入出力部１４８に出力される。尚、出力信号選択部１３０から第１信号経路１４４に出力されるディジタル信号は、後処理部１２８、データ改編部１２６及び前処理部１２４のそれぞれにおいて未処理のまま、第１信号経路１４４から網側信号入出力部１４８に出力されるのが好ましい。
【００５２】
２．ＬＡＰＤ試験
次に、図１及び図２を参照して説明した、この実施の形態のＬＡＰＤ試験装置１００において行われるＬＡＰＤ試験について説明する。この実施の形態では、ＬＡＰＤ試験として、好ましくは、端末割り当てに関する第１試験、及びこの第１試験に続いて呼制御に関する第２試験が行われる。これら第１試験及び第２試験について、それぞれ、以下に説明する。
【００５３】
（１）第１試験
この実施の形態によれば、第１試験では、第１及び第２通信端末１０２及び１０４の送信フレームデータとして、第１のＬＡＰＤフレームデータを用いる。図３（Ａ）には、この第１のＬＡＰＤフレームデータ３００ａの構成を示してある。また、図１を参照して説明したように、この第１のＬＡＰＤフレームデータ３００ａは、ＬＡＰＤ試験のとき、試験フレーム変換部１２０において改編されるが、図３（Ｂ）には、改編された第１のＬＡＰＤフレームデータ３００ｂの構成を示してある。尚、図３（Ｂ）に示す第１のＬＡＰＤフレームデータ３００ｂの構成について詳細は後述する。
【００５４】
既に説明したように、ＬＡＰＤフレームデータは、シーケンシャルなフレーム構成を有している。従来よりよく知られているＬＡＰＤフレームデータの構成は、非特許文献１に開示されている。
【００５５】
この非特許文献１によれば、ＬＡＰＤフレームデータのシーケンスにはオクテット番号が付与される。図３（Ａ）に示す第１のＬＡＰＤフレームデータ３００ａには、１〜１２のオクテット番号が付与されている。このオクテット番号に基づいて、第１のＬＡＰＤフレームデータ３００ａの構成について説明する。
【００５６】
第１のＬＡＰＤフレームデータ３００ａは、当該第１のＬＡＰＤフレームデータ３００ａの先頭、すなわちオクテット番号１にフラグシーケンス（図３（Ａ）にはＦＬＧとして示し、以下、単にＦＬＧと称す）３０２ａを有している。また、第１のＬＡＰＤフレームデータ３００ａの末尾、すなわちオクテット番号１２にもＦＬＧ３０２ｂが設けられている。
【００５７】
また、第１のＬＡＰＤフレームデータ３００ａは、オクテット番号２〜オクテット番号３に、アドレスフィールド３０４を具えている。図３（Ａ）には、オクテット番号２のアドレスフィールド３０４ａをＡＤ１として示してあり、及びオクテット番号３のアドレスフィールド３０４ｂをＡＤ２として示してある。非特許文献１に開示されているように、ＡＤ１３０４ａは、コマンド／レスポンスフィールドビット（図３（Ａ）にはＣ／Ｒとして示し、以下、単にＣ／Ｒビットと称す）及びサービスアクセスポイント識別子（図３（Ａ）にはＳＡＰＩとして示し、以下、単にＳＡＰＩと称す）を含む構成を有している。また、ＡＤ２３０４ｂは、端末終端点識別子（ＴＥＩ）サブフィールドを有している。図３（Ａ）には、この端末終端点識別子（ＴＥＩ）サブフィールド３０４ｂをＴＥＩとして示し、このＴＥＩの値は１２７としてある。
【００５８】
続いて、第１のＬＡＰＤフレームデータ３００ａは、オクテット番号４に、制御フィールド３０６を具えている。非特許文献１に開示されているように、制御フィールド３０６は、通常、１オクテットまたは２オクテットによって構成されるが、図３（Ａ）には、１オクテットで構成される制御フィールド３０６の構成を示してある。図３（Ａ）において、オクテット番号４の制御フィールド３０６を制御１として示してある。図３（Ａ）に示す制御１は、０３ｈのＵＩコマンドとして設定されている。また、図３（Ａ）に示すように、オクテット番号５には、０Ｆｈとして設定されたマネジメントエンティティ識別子３０８が設けられている。
【００５９】
ここで、非特許文献１に開示されているように、端末割り当ての際に用いられる第１のＬＡＰＤフレームデータ３００ａには、参照番号（Ｒｉ）３１０と、メッセージ種別３１２と、動作表示（Ａｉ）３１４とが含まれる。図３（Ａ）には、第１のＬＡＰＤフレームデータ３００ａにおいて、オクテット番号６〜オクテット番号７に参照番号（Ｒｉ）３１０を設けるとともに、メッセージ種別３１２をＩＤ要求を意味する０１ｈとしてオクテット番号８に設け、及び動作表示（Ａｉ）３１４をオクテット番号９に設ける構成を示してある。図３（Ａ）に示す動作表示（Ａｉ）の値は１２７としてある。
【００６０】
続いて、オクテット番号１０及びオクテット番号１１には、フレームチェックシーケンスフィールド３１６が設けられている。図３（Ａ）には、オクテット番号１０のフレームチェックシーケンスフィールド３１６ａをＦＣＳ１として示し、及びオクテット番号１１のフレームチェックシーケンスフィールド３１６ｂをＦＣＳ２として示してある。
【００６１】
次に、図１及び図２と、図４に示すフローチャートを参照して、この実施の形態のＬＡＰＤ試験装置１００において行われる第１試験の手順について説明する。尚、図４に示すフローチャートにおいて、各処理のステップを記号Ｓに番号を添えて示してある。
【００６２】
ここで、一般に行われているＩＳＤＮのディジタル通信において、端末割り当ての際、ＬＡＰＤ終端装置のＬＡＰＤ終端部が、通信端末のＴＥＩ割り当て要求をＩＳＤＮ対応交換機に送出する。そして、このＴＥＩ割り当て要求に応答し、ＩＳＤＮ対応交換機がＴＥＩ値の選択を行うことにより、端末割り当てが行われる。第１試験は、図１及び図２を参照して説明したＬＡＰＤ試験装置１００において、前述したような端末割り当てを、ＩＳＤＮ対応交換機を介することなく、以下に説明する手順に従って行う試験である。
【００６３】
まず、第１試験は、図１に示すＬＡＰＤ試験装置１００において、ＣＰＵ１１４から試験フレーム変換部１２０に試験モードが設定されることによって開始される。この試験モードの設定は、ＣＰＵ１１４が試験フレーム変換部１２０に、バス１２２を介してセレクト信号を出力することによって行われる。セレクト信号について詳細は後述する。
【００６４】
（Ｓ４０１）ＣＰＵ１１４から出力されたセレクト信号は、図２に示す試験フレーム変換部１２０において、出力信号選択部１３０に入力される。セレクト信号は、出力信号選択部１３０に、当該出力信号選択部１３０に入力されるディジタル信号を第１及び第２信号経路１４４及び１４６のいずれに出力させるか、もしくは第１及び第２信号経路１４４及び１４６のいずれから入力されるディジタル信号を当該出力信号選択部１３０から出力させるかを、選択させる信号である。上述したように、出力信号選択部１３０は、ＬＡＰＤ試験のとき、第１信号経路１４４を選択して、この第１信号経路１４４においてディジタル信号の入出力を行う。よって、ＬＡＰＤ試験のとき、セレクト信号が出力信号選択部１３０に入力されると、出力信号選択部１３０は第１信号経路１４４を選択する。すなわち、ＬＡＰＤ試験のとき、セレクト信号は、出力信号選択部１３０に第１信号経路１４４を選択させるための信号としてある。
【００６５】
（Ｓ４０２）続いて、ＬＡＰＤ終端部１１６において第１基本処理部１１７は、ＣＰＵ１１４から与えられる命令に従って、第１通信端末１０２及び第２通信端末１０４のいずれかのＴＥＩ割り当て要求を、試験フレーム変換部１２０を介して通信回線１０８に送出する。このＴＥＩ割り当て要求は、既に図３（Ａ）を参照して説明した第１のＬＡＰＤフレームデータ３００ａとして通信回線１０８に送出される。
【００６６】
尚、図３（Ａ）に示す参照番号（Ｒｉ）３１０には、第１基本処理部１１７が作成した乱数が付与される。また、この際、図２において、端末側信号入出力部１５０から試験フレーム変換部１２０に入力された第１のＬＡＰＤフレームデータ３００ａは、出力信号選択部１３０に入力されるとともに、この出力信号選択部１３０から第１信号経路１４４に入力されるが、既に説明したように、第１信号経路１４４において未処理のまま、網側信号入出力部１４８に出力される。
【００６７】
（Ｓ４０３）その後、図１を参照して説明したように、網側信号入出力部１４８に出力された第１のＬＡＰＤフレームデータ３００ａは、通信回線１０８で折り返されて、再びＬＡＰＤ終端装置１０６に入力される。ＬＡＰＤ終端装置１０６に通信回線１０８から入力された第１のＬＡＰＤフレームデータ３００ａは、網側信号入出力部１４８から試験フレーム変換部１２０に入力される。そして、試験フレーム変換部１２０において、第１のＬＡＰＤフレームデータ３００ａは、第１信号経路１４４及び第２信号経路１４６のそれぞれに入力される。第１信号経路１４４において、第１のＬＡＰＤフレームデータ３００ａは、前処理部１２４に入力される。
【００６８】
前処理部１２４は、第１のＬＡＰＤフレームデータ３００ａを認識するための前処理を行う。前処理部１２４では、以下に説明する、フラグ検出部１３２による第１のＬＡＰＤフレームデータ３００ａの認識、及び０削除部１３４による“０”の削除によって、前処理が行われるのが好ましい。
【００６９】
フラグ検出部１３２は、第１のＬＡＰＤフレームデータ３００ａのＦＬＧ３０２ａを検出し、この第１のＬＡＰＤフレームデータ３００ａを認識する。また、ＦＬＧ３０２ａは、非特許文献１にも開示されているように、“０１１１１１１０”のビット列によって構成される。前処理部１２４の０削除部１３４では、フラグ検出部１３２で認識された第１のフレームデータ３００ａのＦＬＧ３０２ａに対して、連続５ビット以上“１”が続いたときに挿入される“０”の削除を行う。
【００７０】
（Ｓ４０４）次に、前処理部１２４で認識された第１のＬＡＰＤフレームデータ３００ａの改編が、データ改編部１２６によって行われる。第１試験では、データ改編部１２６は第１のＬＡＰＤフレームデータ３００ａの改編を、ＴＥＩ割り当て処理として行う。このＴＥＩ割り当て処理は、図３（Ａ）に示す第１のＬＡＰＤフレームデータ３００ａに対する、アドレスフィールド３０４におけるＣ／Ｒビットの反転と、メッセージ種別３１２の改編、及び動作表示（Ａｉ）３１４に対するＴＥＩ値の選択によって行われる。
【００７１】
ここで、図３（Ｂ）には、データ改編部１２６において改編された第１のＬＡＰＤフレームデータ３００ｂの構成を示してある。尚、図３（Ｂ）に示す第１のＬＡＰＤフレームデータ３００ｂについて、図３（Ａ）に示す第１のＬＡＰＤフレームデータ３００ａと同様の構成について、重複する説明は記載を省略する。
【００７２】
データ改編部１２６において、Ｃ／Ｒ反転、ＴＥＩ付与部１３６は、アドレスフィールド３０４におけるＣ／Ｒビットが、“０”だった場合は、“１”に、及び“１”だった場合は、“０”に反転させる。図３（Ｂ）において、改編されたＣ／Ｒビットを有するオクテット番号２のアドレスフィールドに、３０４ａａを付与して示してある。また、オクテット番号２のＡＤ１が改編されたアドレスフィールドには３０４ｃを付与して示してある。
【００７３】
また、Ｃ／Ｒ反転、ＴＥＩ付与部１３６は、メッセージ種別３１２をＩＤ要求を意味する０１ｈから、ＩＤ割り当てを意味する０２ｈに変更する。図３（Ｂ）において、改編されたメッセージ種別に３１２ｂを付与して示してある。
【００７４】
また、Ｃ／Ｒ反転、ＴＥＩ付与部１３６は、動作表示（Ａｉ）の値を、１２７から第１及び第２通信端末１０２及び１０４のいずれかを示すＴＥＩ値“Ｘ”に変更する。この実施の形態では、第１通信端末１０２を示すＴＥＩ値を“Ｘ＝Ａ”とし、第２通信端末１０４を示すＴＥＩ値を“Ｘ＝Ｂ”とする。尚、図３（Ｂ）において、改編された動作表示（Ａｉ）に３１４ｂを付与して示してある。
【００７５】
（Ｓ４０５）続いて、データ改編部１２６では、ＦＣＳ付与部１３８が、オクテット番号１０のＦＣＳ１３１６ａ及びオクテット番号１１のＦＣＳ２３１６ｂの値を再計算し、再計算された結果得られた値を、ＦＣＳ１３１６ａ及びＦＣＳ２３１６ｂのそれぞれに付与する。図３（Ｂ）には改編済みのＦＣＳ１３１６ａａ及びＦＣＳ２３１６ｂｂを含むＦＣＳに３１６ｃを付与して示してある。
【００７６】
（Ｓ４０６）その後、データ改編部１２６で改編済みの第１のＬＡＰＤフレームデータ３００ｂは後処理部１２８に入力され、後処理部１２８では、改編済みの第１のＬＡＰＤフレームデータ３００ｂに対して後処理が行われる。この後処理は、以下に説明する、０挿入部１４０による“０”の挿入、及びフラグ挿入部１４２によるフラグの付与によって行われるのが好ましい。尚、この後処理は、改編済みの第１のＬＡＰＤフレームデータ３００ｂのＦＬＧ３０２ａａ及び３０２ｂｂに対する処理である。
【００７７】
後処理部１２８において、０挿入部１４０は、連続５ビット以上“１”が続いたときに“０”の挿入を行い、フラグ挿入部１４２は改編済みの第１のＬＡＰＤフレームデータ３００ｂに対しＦＬＧ３０２ａａ及び３０２ｂｂを付与する。
【００７８】
その後、後処理部１２８から第１信号経路１４４に出力された改編済みの第１のＬＡＰＤフレームデータ３００ｂは、出力信号選択部１３０を介して試験フレーム変換部１２０から端末側信号入出力部１５０に出力される。尚、出力信号選択部１３０には、第２信号経路１４６から、未改編の第１のＬＡＰＤフレームデータ３００ａが入力される。しかし、ＬＡＰＤ試験の際、出力信号選択部１３０は、上述したように第１信号経路１４４を選択しているため、第２信号経路１４６から入力される未改編の第１のＬＡＰＤフレームデータ３００ａは、出力信号選択部１３０から出力されない。
【００７９】
ところで、試験フレーム変換部１２０から端末側信号入出力部１５０に、改編済みの第１のＬＡＰＤフレームデータ３００ｂが出力されると、この実施の形態の第１試験の主要な手順は終了される。
【００８０】
改編済みの第１のＬＡＰＤフレームデータ３００ｂは、ＬＡＰＤ終端部１１６において、第１及び第２通信端末１０２及び１０４のいずれかの受信フレームデータとして受信可能なデータである。よって、ＬＡＰＤ終端部１１６は、試験フレーム変換部１２０から、改編済みの第１のＬＡＰＤフレームデータ３００ｂが入力されると、これを障害無く受信することができる。
【００８１】
（２）第２試験
次に、この実施の形態で行われる第２試験について説明する。第２試験では、第１及び第２通信端末１０２及び１０４の送信フレームデータとして、第２のＬＡＰＤフレームデータを用いる。図５（Ａ）には、この第２のＬＡＰＤフレームデータ５００ａの構成を示してある。また、この第２のＬＡＰＤフレームデータ５００ａは、ＬＡＰＤ試験のとき、試験フレーム変換部１２０において改編されるが、図５（Ｂ）には、改編された第２のＬＡＰＤフレームデータ５００ｂの構成を示してある。図５（Ｂ）に示す第２のＬＡＰＤフレームデータ５００ｂの構成について詳細は後述する。
【００８２】
図５（Ａ）に示す第２のＬＡＰＤフレームデータ５００ａには、１〜ｎのオクテット番号が付与されている。このオクテット番号に基づいて、第２のＬＡＰＤフレームデータ５００ａの構成について説明する。尚、第２のＬＡＰＤフレームデータ５００ａは、好ましくは、図３（Ａ）を参照して説明した第１のＬＡＰＤフレームデータ３００ａと同様の構成を有している。以下の説明において、第１のＬＡＰＤフレームデータ３００ａと同様の構成について、重複する説明は省略する。
【００８３】
第２のＬＡＰＤフレームデータ５００ａは、当該第２のＬＡＰＤフレームデータ５００ａの先頭、すなわちオクテット番号１にＦＬＧ５０２ａを有し、当該第２のＬＡＰＤフレームデータ５００ａの末尾、すなわちオクテット番号ｎにＦＬＧ５０２ｂを有している。第２のＬＡＰＤフレームデータ５００ａにおける、ＦＬＧ５０２ａ及び５０２ｂは、第１のＬＡＰＤフレームデータ３００ａが有するＦＬＧ３０２ａ及び３０２ｂと同様のデータであるのが好ましい。
【００８４】
また、第２のＬＡＰＤフレームデータ５００ａは、オクテット番号２〜オクテット番号３に、アドレスフィールド５０４を具えている。図５（Ａ）には、オクテット番号２のアドレスフィールド５０４ａをＡＤ１として示してあり、及びオクテット番号３のアドレスフィールド５０４ｂをＡＤ２として示してある。
【００８５】
第２のＬＡＰＤフレームデータ５００ａにおける、ＡＤ１５０４ａ及びＡＤ２５０４ｂは、第１のＬＡＰＤフレームデータ３００ａが有するＡＤ１３０４ａ及びＡＤ２３０４ｂと同様のデータであるのが好ましい。尚、以下に説明するこの実施の形態では、第２のＬＡＰＤフレームデータ５００ａにおける、ＡＤ２５０４ｂのＴＥＩの値は、第１通信端末１０２を示すＴＥＩ値“Ａ”及び第２通信端末１０４を示すＴＥＩ値“Ｂ”のうちいずれかの値とするのが好ましい。
【００８６】
続いて、第２のＬＡＰＤフレームデータ５００ａは、オクテット番号４〜オクテット番号５に、制御フィールド５０６を具えている。ここで、図５（Ａ）には、２オクテットで構成される制御フィールド５０６の構成を示してある。図５（Ａ）において、オクテット番号４の制御フィールド５０６ａを制御１として、及びオクテット番号５の制御フィールド５０６ｂを制御２として示してある。
【００８７】
図５（Ａ）に示す第２のＬＡＰＤフレームデータ５００ａにおいて、オクテット番号６以降オクテット番号（ｎ−３）までの部分は、情報フィールド５０８となる。ここで、既に説明したように、Ｄチャネルのレイヤ３プロトコル（呼制御手順（Ｑ．９３１））は、ＬＡＰＤフレームを利用して転送される。第２のＬＡＰＤフレームデータ５００ａにおいて、情報フィールド５０８が、Ｑ．９３１のデータを転送するために用いられる。
【００８８】
続いて、オクテット番号（ｎ−２）及びオクテット番号（ｎ−１）には、フレームチェックシーケンスフィールド５１０が設けられている。図５（Ａ）には、オクテット番号（ｎ−２）のフレームチェックシーケンスフィールド５１０ａをＦＣＳ１として示し、及びオクテット番号（ｎ−１）のフレームチェックシーケンスフィールド５１０ｂをＦＣＳ２として示してある。第２のＬＡＰＤフレームデータ５００ａにおける、ＦＣＳ１５１０ａ及びＦＣＳ２５１０ｂは、第１のＬＡＰＤフレームデータ３００ａが有するＦＣＳ１３１６ａ及びＦＣＳ２３１６ｂと同様のデータであるのが好ましい。
【００８９】
次に、図１及び図２と、図６に示すフローチャートを参照して、この実施の形態のＬＡＰＤ試験装置１００において行われる第２試験の手順について説明する。尚、図６に示すフローチャートにおいて、各処理のステップを記号Ｓに番号を添えて示してある。
【００９０】
ここで、一般に行われているＩＳＤＮのディジタル通信では、ＬＡＰＤフレームを利用して転送されるＱ．９３１の規定に従った呼制御は、複数の通信端末間で、ＩＳＤＮ対応交換機を介して行われる。第２試験は、図１及び図２を参照して説明したＬＡＰＤ試験装置１００において、前述したような呼制御を、ＩＳＤＮ対応交換機を介することなく、以下に説明する手順に従って行う試験である。
【００９１】
第２試験は、第１試験と同様、図１に示すＬＡＰＤ試験装置１００において、ＣＰＵ１１４から試験フレーム変換部１２０に試験モードが設定されることによって開始される。この試験モードの設定は、（１）の項で説明した第１試験と同様の手順に従って行われるのが好ましい。よって、試験モードの設定について、重複する説明は省略する。
【００９２】
（Ｓ５０１）まず、試験フレーム変換部１２０において、ＣＰＵ１１４からセレクト信号が入力された出力信号選択部１３０によって、第１信号経路１４４の選択が行われる。この第１信号経路１４４の選択は、試験フレーム変換部１２０において、既に説明した第１試験と同様の手順によって行われるのが好ましい。よって、このステップにおける第１試験と同様の手順について、重複する説明は省略する。
【００９３】
（Ｓ５０２）続いて、ＬＡＰＤ終端部１１６において第１基本処理部１１７は、ＣＰＵ１１４から与えられる命令に従って、第１及び第２通信端末１０２及び１０４のいずれかの端末の送信フレームデータとして、第２のＬＡＰＤフレームデータ５００ａを、試験フレーム変換部１２０を介して通信回線１０８に送出する。
【００９４】
尚、図２において、既に説明した第１試験と同様、端末側信号入出力部１５０から試験フレーム変換部１２０に入力された第２のＬＡＰＤフレームデータ５００ａは、出力信号選択部１３０を介して第１信号経路１４４に入力されるが、第１信号経路１４４において未処理のまま、網側信号入出力部１４８に出力される。
【００９５】
（Ｓ５０３）その後、第２試験においても、第１試験と同様、網側信号入出力部１４８に出力され、通信回線１０８で折り返された第２のＬＡＰＤフレームデータ５００ａが、再びＬＡＰＤ終端装置１０６に入力される。既に説明した第１試験と同様、この第２のＬＡＰＤフレームデータ５００ａも、網側信号入出力部１４８から試験フレーム変換部１２０に入力されて、この試験フレーム変換部１２０において第１信号経路１４４及び第２信号経路１４６のそれぞれに入力される。
【００９６】
そして、第１信号経路１４４の前処理部１２４において、第２のＬＡＰＤフレームデータ５００ａに対して、既に説明した第１試験と同様の手順によって、前処理が行われるのが好ましい。この前処理について、重複する説明は省略する。
【００９７】
（Ｓ５０４）続いて、前処理部１２４で認識された第２のＬＡＰＤフレームデータ５００ａの改編が、データ改編部１２６によって行われる。呼制御に関する第２試験において、第２のＬＡＰＤフレームデータ５００ａの改編は、図５（Ａ）に示すアドレスフィールド５０４におけるＣ／Ｒビットの反転及びＴＥＩ値の変換によって行われるのが好ましい。
【００９８】
図５（Ｂ）には、データ改編部１２６において改編された第２のＬＡＰＤフレームデータ５００ｂの構成を示してある。尚、図５（Ｂ）に示す第２のＬＡＰＤフレームデータ５００ｂについて、図５（Ａ）に示す第２のＬＡＰＤフレームデータ５００ａと同様の構成について、重複する説明は記載を省略する。
【００９９】
Ｃ／Ｒビットの反転は、データ改編部１２６において、既に説明した第１試験と同様の手順に従って、Ｃ／Ｒ反転、ＴＥＩ付与部１３６によって行われるのが好ましい。よって、Ｃ／Ｒビットの反転について重複する説明は省略するが、図５（Ｂ）において、改編されたＣ／Ｒビットを有するオクテット番号２のアドレスフィールドに、５０４ａａを付与して示してある。
【０１００】
また、好ましくは、ＴＥＩ値の変換は、データ改編部１２６において、Ｃ／Ｒ反転、ＴＥＩ付与部１３６が以下の手順によって行う。Ｃ／Ｒ反転、ＴＥＩ付与部１３６は、アドレスフィールド５０４におけるＴＥＩ値が、第１通信端末１０２を示すＴＥＩ値“Ｘ＝Ａ”であった場合は、このＴＥＩ値を第２通信端末１０４を示すＴＥＩ値“Ｘ＝Ｂ”に変換し、第２通信端末１０４を示すＴＥＩ値“Ｘ＝Ｂ”であった場合は、このＴＥＩ値を第１通信端末１０２を示すＴＥＩ値“Ｘ＝Ａ”に変換する。尚、図５（Ｂ）では、改編されたアドレスフィールド５０４ｃにおけるＡＤ２に５０４ｂｂを付与して示してある。
【０１０１】
（Ｓ５０５）続いて、データ改編部１２６では、第１試験と同様、ＦＣＳ付与部１３８が、オクテット番号（ｎ−２）のＦＣＳ１５１０ａ及びオクテット番号（ｎ−１）のＦＣＳ２５１０ｂの値を再計算し、再計算された結果得られた値を、ＦＣＳ１５１０ａ及びＦＣＳ２５１０ｂのそれぞれに付与する。図５（Ｂ）には改編済みのＦＣＳ１５１０ａａ及びＦＣＳ２５１０ｂｂを含むＦＣＳに５１０ｃを付与して示してある。
【０１０２】
（Ｓ５０６）その後、データ改編部１２６で改編済みの第２のＬＡＰＤフレームデータ５００ｂは後処理部１２８に入力される。後処理部１２８では、改編済みの第２のＬＡＰＤフレームデータ５００ｂに対して、既に説明した第１試験と同様の手順によって、後処理が行われるのが好ましい。この後処理は、改編済みの第２のＬＡＰＤフレームデータ５００ｂのＦＬＧ５０２ａａ及び５０２ｂｂに対する処理である。この後処理について、重複する説明は省略する。
【０１０３】
ここで、第１試験と同様、後処理部１２８から第１信号経路１４４に出力された改編済みの第２のＬＡＰＤフレームデータ５００ｂが、出力信号選択部１３０を介して試験フレーム変換部１２０から端末側信号入出力部１５０に出力される。試験フレーム変換部１２０から端末側信号入出力部１５０に、改編済みの第２のＬＡＰＤフレームデータ５００ｂが出力されると、この実施の形態の第２試験の主要な手順は終了される。
【０１０４】
改編済みの第２のＬＡＰＤフレームデータ５００ｂは、ＬＡＰＤ終端部１１６において、第１及び第２通信端末１０２及び１０４のいずれかの受信フレームデータとして受信可能なデータである。よって、ＬＡＰＤ終端部１１６は、試験フレーム変換部１２０から、改編済みの第２のＬＡＰＤフレームデータ５００ｂが入力されると、これを障害無く受信することができる。
【０１０５】
以上説明した、この実施の形態のＬＡＰＤ試験装置１００によれば、ＬＡＰＤ終端装置１０６には、通信回線１０８から、この通信回線１０８において折り返された第１及び第２通信端末１０２及び１０４の第１及び第２のＬＰＡＤフレームデータ３００ａ及び５００ａが入力される。第１及び第２試験時、ＬＡＰＤ終端装置１０６において、試験フレーム変換部１２０は、通信回線１０８から入力される第１及び第２のＬＰＡＤフレームデータ３００ａ及び５００ａを改編し、ＬＡＰＤ終端部１１６において受信可能な受信フレームデータに変換する。
【０１０６】
よって、この実施の形態のＬＡＰＤ試験装置１００では、ＬＡＰＤフレームデータを作成するためのプロトコルアナライザ、及びＩＳＤＮ対応交換機は設置することなく、第１及び第２通信端末１０２及び１０４間でＬＡＰＤに関する第１及び第２試験を行うことができる。すなわち、ＬＡＰＤ試験装置１００は、ＩＳＤＮ対応交換機を用いて試験を行う試験装置のように大規模なシステムとはならないため、システムを立ち上げるための時間を従来と比較して大幅に短縮することができ、その結果、デバッグに要する時間も含めた試験時間を大幅に短縮することができる。
【０１０７】
また、この実施の形態のＬＡＰＤ試験装置１００では、ＬＡＰＤフレームデータを作成するためのプロトコルアナライザ等の試験機が不必要であるため、ＬＡＰＤフレームデータ作成に関する、プロトコルアナライザ等の試験機のプログラムの作成も行う必要が無いという効果を得ることもできる。
【０１０８】
［第２の実施の形態］
１．ＬＡＰＤ試験装置の構成
次に、第２発明のＬＡＰＤ試験装置に係る実施の形態を、第２の実施の形態として説明する。図７に、この実施の形態のＬＡＰＤ試験装置２００の構成例を示す。ＬＡＰＤ試験装置２００は、データ折り返し部２１０と、このデータ折り返し部２１０にそれぞれの一端が接続される複数の通信回線２０８と、この複数の通信回線２０８のそれぞれの他端に接続されたＬＡＰＤ終端装置２０６と、このＬＡＰＤ終端装置２０６に接続された複数の通信端末２０２とを具えている。
【０１０９】
また、図７に示すように、ＬＡＰＤ終端装置２０６には、プログラムメモリ部２１８と、ＣＰＵ２１４と、ＬＡＰＤ終端部２１６と、試験フレーム変換部２２０とを設けてある。ＬＡＰＤ終端装置２０６において、プログラムメモリ部２１８と、ＣＰＵ２１４と、ＬＡＰＤ終端部２１６と、試験フレーム変換部２２０は、それぞれ、バス２２２を介して互いに接続されるのが好適である。
【０１１０】
ここで、ＬＡＰＤ終端装置２０６におけるプログラムメモリ部２１８と、ＣＰＵ２１４と、ＬＡＰＤ終端部２１６と、バス２２２は、これら各構成要素と対応する、第１の実施の形態のＬＡＰＤ終端装置１０６の構成要素と同様の構成及び機能を有するのが好ましい。従って、前述した各構成要素について、重複する説明を省略する。尚、図７には、ＬＡＰＤ終端部２１６が有する第１基本処理部に２１７を付与して示してある。
【０１１１】
この実施の形態のＬＡＰＤ試験装置２００では、複数の通信端末２０２のうち、所定の２つの通信端末を一組とし、この一組の通信端末の一方を第１通信端末２０２ａとし、他方を第２通信端末２０２ｂとする。この実施の形態によれば、第１及び第２通信端末２０２ａ及び２０２ｂの送信フレームデータを、ＬＡＰＤ終端部２１６を介して複数の通信回線２０８のいずれかに出力し、データ折り返し部２１０で折り返させて、複数の通信回線２０８のいずれかよりＬＡＰＤ終端装置２０６に再び入力させるようにする。
【０１１２】
ここで、この実施の形態では、上述した複数の通信回線２０８とＬＡＰＤ終端装置２０６との接続は、これら複数の通信回線２０８のそれぞれにおけるディジタル信号が、試験フレーム変換部２２０を介してＬＡＰＤ終端部２１６に入力されるように行われるとともに、ディジタル信号がＬＡＰＤ終端部２１６から試験フレーム変換部２２０を介してこれら複数の通信回線２０８のいずれかに出力されるように行われる。
【０１１３】
また、前述したように、送信フレームデータは、ＬＡＰＤ終端装置２０６から複数の通信回線２０８のいずれかに出力される。この実施の形態では、送信フレームデータが出力された通信回線の途中で送信フレームデータを折り返すか、もしくはこの通信回線とは別の通信回線に送信フレームデータを折り返すのが好ましい。通信回線におけるデータの折り返しは、データ折り返し部２１０にて行う。
【０１１４】
尚、この実施の形態では、データ折り返し部２１０を予めＬＡＰＤ終端装置２０６内に設けておき、ＬＡＰＤ終端装置２０６内で前述した送信フレームデータの折り返しを行っても良い。また、データ折り返し部２１０を設ける代わりに、複数の通信回線２０８のそれぞれの両端を予めＬＡＰＤ終端装置２０６に接続することによって、これら複数の通信回線２０８のそれぞれに出力された送信フレームデータが、それぞれの通信回線２０８内で折り返されて、ＬＡＰＤ終端装置２０６に再び入力されるようにしてもよい。
【０１１５】
ここで、図７に示すように、この実施の形態の試験フレーム変換部２２０は、第１の実施の形態の試験フレーム変換部１２０と同様に、例えばＣＰＵ等によって構成される第２基本処理部２２１を有している。この実施の形態では、第２基本処理部２２１は、ＬＡＰＤ試験のとき、上述したように、複数の通信回線２０８のいずれかよりＬＡＰＤ終端装置２０６に入力される、第１及び第２通信端末２０２ａ及び２０２ｂの送信フレームデータを改編することによって、第１及び第２通信端末２０２ａ及び２０２ｂのいずれかの端末の受信フレームデータに変換し、しかる後ＬＡＰＤ終端部２１６を介して、第１及び第２通信端末２０２ａ及び２０２ｂのいずれかに受信フレームデータを出力する。試験フレーム変換部２２０における送信フレームデータの改編について詳細は後述する。
【０１１６】
尚、第１の実施の形態のＬＡＰＤ試験装置１００と同様、この実施の形態のＬＡＰＤ試験装置２００にも、開発装置であるプロトコルアナライザ１１２が設けられるのが好ましい。このプロトコルアナライザ１１２について、重複する説明は省略する。
【０１１７】
次に、図７に示す試験フレーム変換部２２０の構成について、図８を参照して説明する。図８には、この実施の形態の試験フレーム変換部２２０の構成例を示してある。ここで、図７に示すように、複数の通信端末２０２とＬＡＰＤ終端装置２０６との接続は、複数の通信端末２０２のそれぞれがＬＡＰＤ終端部２１６に接続されるように行われるのが好ましい。また、複数の通信端末２０２と、試験フレーム変換部２２０との間では、ＬＡＰＤフレームデータの送受信として、ディジタル信号の入出力がＬＡＰＤ終端部２１６を介して行われる。
【０１１８】
よって、上述したようなＬＡＰＤ終端装置２０６の構成によれば、複数の通信端末２０２のそれぞれより出力されて、ＬＡＰＤ終端装置２０６に入力される信号は、ＬＡＰＤ終端部２１６において従来公知の方法により多重化され、当該ＬＡＰＤ終端部２１６から出力される。よって、図７に示すように、ＬＡＰＤ終端部２１６と試験フレーム変換部２２０を、好ましくは、一本の信号線で接続する。図８には、この信号線における、試験フレーム変換部２２０に対するＬＡＰＤ終端部２１６からのディジタル信号の入力点、及び試験フレーム変換部２２０からＬＡＰＤ終端部２１６へのディジタル信号の出力点を、端末側信号入出力部２５０として示してある。
【０１１９】
また、図７を参照して説明したように、試験フレーム変換部２２０には、複数の通信回線２０８のいずれかより送信フレームデータがディジタル信号として入力される。図７には、複数の通信回線２０８に含まれる所定の通信回線２０８ａ、２０８ｂ、２０８ｃ、２０８ｄ及び２０８ｅを示してある。そして、図８には、これら通信回線２０８ａ、２０８ｂ、２０８ｃ、２０８ｄ及び２０８ｅのそれぞれの試験フレーム変換部２２０に対するディジタル信号の入力点、及び試験フレーム変換部２２０からこれら通信回線２０８ａ、２０８ｂ、２０８ｃ、２０８ｄ及び２０８ｅのそれぞれへのディジタル信号の出力点を、網側信号入出力部２４８ａ、２４８ｂ、２４８ｃ、２４８ｄ及び２４８ｅとして示してある。
【０１２０】
ところで、試験フレーム変換部２２０には、複数の通信回線２０８のそれぞれと対応する複数の第３信号経路２４４と、第４信号経路２４６が設けられるのが好ましい。図８には、図７に示す複数の通信回線２０８に含まれる所定の通信回線２０８ａ、２０８ｂ、２０８ｃ、２０８ｄ及び２０８ｅのそれぞれと対応する、第３信号経路２４４ａ、２４４ｂ、２４４ｃ、２４４ｄ及び２４４ｅのそれぞれを示してある。
【０１２１】
この実施の形態によれば、端末側信号入出力部２５０から試験フレーム変換部２２０にディジタル信号として入力されるＬＡＰＤフレームデータは、第４信号経路２４６を経て、網側信号入出力部２４８ａ、２４８ｂ、２４８ｃ、２４８ｄ及び２４８ｅのいずれかに出力される。
【０１２２】
また、網側信号入出力部２４８ａ、２４８ｂ、２４８ｃ、２４８ｄ及び２４８ｅのそれぞれから試験フレーム変換部２２０にディジタル信号として入力されるＬＡＰＤフレームデータは、これら網側信号入出力部２４８ａ、２４８ｂ、２４８ｃ、２４８ｄ及び２４８ｅのそれぞれと対応する第３信号経路２４４ａ、２４４ｂ、２４４ｃ、２４４ｄ及び２４４ｅのそれぞれに入力される。
【０１２３】
この実施の形態によれば、試験フレーム変換部２２０において、第２基本処理部２２１は、複数の第３信号経路２４４から第４信号経路２４６に跨って設けられるのが好ましい。図８には、第２基本処理部２２１を図示していないが、第２基本処理部２２１は、同図中に示す複数のデータ処理部２２４を有している。これら複数のデータ処理部２２４のそれぞれは、複数の第３信号経路２４４のそれぞれに設けられる。図８には、第３信号経路２４４ａ、２４４ｂ、２４４ｃ、２４４ｄ及び２４４ｅのそれぞれに、データ処理部２２４ａ、２２４ｂ、２２４ｃ、２２４ｄ及び２２４ｅのそれぞれが設けられる構成を示してある。
【０１２４】
ここで、この実施の形態では、図２を参照して説明した第１の実施の形態の試験フレーム変換部１２０をデータ処理部としてあるのが好ましい。よって、図８に示すデータ処理部２２４ａ、２２４ｂ、２２４ｃ、２２４ｄ及び２２４ｅのそれぞれの構成について、既に説明した試験フレーム変換部１２０と重複する説明は省略する。
【０１２５】
複数のデータ処理部２２４のそれぞれには、複数の網側信号入出力部２４８のそれぞれからＬＡＰＤフレームデータが入力される。図８に示すデータ処理部２２４ｅに着目し、このデータ処理部２２４ｅの構成について、図２を参照して説明した試験フレーム変換部１２０の構成と対応させると、このデータ処理部２２４ｅが設けられた第３信号経路２４４ｅに網側信号入出力部２４８ｅから入力されるＬＡＰＤフレームデータは、図２に示す網側信号入出力部１４８からデータ処理部２２４ｅに入力される。そして、データ処理部２２４ｅからＬＡＰＤフレームデータが、図２に示す端末側信号入出力部１５０から第３信号経路２４４ｅへ出力される。このデータ処理部２２４ｅの構成は、当該データ処理部２２４ｅを除いた複数のデータ処理部２２４のそれぞれについて同様である。
【０１２６】
また、複数の第３信号経路２４４のそれぞれに跨って、上述したように、複数のデータ処理部２２４のそれぞれから出力されるＬＡＰＤフレームデータが入力される信号多重化部２３２が設けられる。信号多重化部２３２は、複数の第３信号経路２４４のそれぞれから入力されるディジタル信号を、従来公知の方法によって多重化して出力する。信号多重化部２３２から出力されるディジタル信号は、端末側信号入出力部２５０に出力される。
【０１２７】
また、この実施の形態によれば、第２基本処理部２２１は、第４信号経路２４６に、端末側信号入出力部２５０から複数の網側信号入出力部２４８に向かって、順次設けられる、方路決定前処理部２２６と、方路決定部２２８とを有している。さらに第４信号経路２４６には、方路選択部２３０が設けられている。方路決定前処理部２２６は、フラグ検出部２３４と０削除部２３６とを有するのが好ましい。
【０１２８】
そして、端末側信号入出力部２５０から試験フレーム変換部２２０に入力されるディジタル信号は、方路決定前処理部２２６を経て方路決定部２２８に入力される。方路決定部２２８では、当該方路決定部２２８に入力されたディジタル信号を、複数の網側信号入出力部２４８のいずれに出力させるかが決定される。この決定は、図７に示す複数の通信回線２０８のいずれにディジタル信号を出力させるかの決定である。方路決定部２２８において、好ましくは、複数の網側信号入出力部２４８のいずれに出力させるかは、データ出力情報として決定される。
【０１２９】
方路決定部２２８はデータ出力情報を方路選択部２３０に出力する。方路選択部２３０は、データ出力情報に基づいて、複数の網側信号入出力部２４８のうち所定の網側信号入出力部から、この網側信号入出力部に対応する通信回線にディジタル信号を出力する。
【０１３０】
２．ＬＡＰＤ試験
次に、図７及び図８を参照して説明した、この実施の形態のＬＡＰＤ試験装置２００において行われるＬＡＰＤ試験について説明する。この実施の形態では、第１の実施の形態と同様、ＬＡＰＤ試験として、好ましくは、端末割り当てに関する第１試験、及びこの第１試験に続いて呼制御に関する第２試験が行われる。これら第１試験及び第２試験について、それぞれ、以下に説明する。
【０１３１】
ここで、上述したように、この実施の形態のＬＡＰＤ試験装置２００では、複数の通信端末２０２のうち、所定の２つの通信端末を一組とし、この一組の通信端末の一方を第１通信端末２０２ａとし、他方を第２通信端末２０２ｂとする。そして、これら第１及び第２通信端末２０２ａ及び２０２ｂ間において第１試験と第２試験を行う。複数の通信端末２０２のうち一組の通信端末間で、第１及び第２試験をそれぞれ行う場合について、以下に説明する。しかし、この実施の形態では、複数の通信端末２０２より複数組の通信端末を選択し、これら複数組の通信端末において、以下に説明する第１及び第２試験のそれぞれ試験を同時に行うことも可能である。尚、以下の説明において、第１試験及び第２試験のそれぞれについて、第１の実施の形態と重複する説明を省略することもある。
【０１３２】
（１）第１試験
この実施の形態によれば、第１試験では、第１の実施の形態と同様、第１及び第２通信端末２０２ａ及び２０２ｂの送信フレームデータとして第１のＬＡＰＤフレームデータを用いる。この第１のＬＡＰＤフレームデータは、好ましくは、図３（Ａ）を参照して説明した第１のＬＡＰＤフレームデータ３００ａと同様の構成を有する。また、この実施の形態の第１試験は、図４に示すフローチャートを参照して説明した第１実施の形態と同様の手順によって行われるのが好ましい。よって、この実施の形態の第１のＬＡＰＤフレームデータ及び第１試験について、第１の実施の形態と重複する説明は省略する。
【０１３３】
また、この実施の形態によれば、ＬＡＰＤ試験において、試験フレーム変換部２２０によって改編済みの第１のＬＡＰＤフレームデータは、図３（Ｂ）を参照して説明した第１のＬＡＰＤフレームデータ３００ｂと同様の構成を有する。この改編済みの第１のＬＡＰＤフレームデータについても、第１の実施の形態と重複する説明は省略する。
【０１３４】
ここで、既に説明したように、第１試験のとき、ＬＡＰＤ終端装置２０６において、ＬＡＰＤ終端部２１６から、第１通信端末２０２ａ及び第２通信端末２０２ｂのいずれかのＴＥＩ割り当て要求の送出が、試験フレーム変換部２２０を介して行われる。この実施の形態によれば、ＬＡＰＤ終端部２１６から、ＴＥＩ割り当て要求が、端末側信号入出力部２５０を介して試験フレーム変換部２２０に入力される。
【０１３５】
試験フレーム変換部２２０では、端末側信号入出力部２５０からＴＥＩ割り当て要求が第４信号経路２４６に入力される。既に説明したように、このＴＥＩ割り当て要求は、第１のＬＡＰＤフレームデータとしてある。そして、この第１のＬＡＰＤフレームデータは、第４信号経路２４６における方路決定前処理部２２６に入力され、この方路決定前処理部２２６によって処理される。尚、この処理は、既に説明した第１の実施の形態の前処理部１２４が行う処理と同様の処理であるのが好ましい。よって、前述した方路決定前処理部２２６によって行われる処理について、第１の実施の形態と重複する説明は省略する。続いて、方路決定前処理部２２６によって処理された第１のＬＡＰＤフレームデータは、方路決定部２２８に入力される。
【０１３６】
ここで、この実施の形態では、ＬＡＰＤ終端装置２０６において、第１試験前、予め、ＣＰＵ２１４から方路決定部２２８に、ＴＥＩ割り当て要求を複数の通信回線２０８のいずれに送出するかの情報として、方路情報が設定されるのが好ましい。例えば、この方路情報は、第１通信端末２０２ａの割り当て要求の、所定の通信回線２０８ａへの送出、及び第２通信端末２０２ｂの割り当て要求の、所定の通信回線２０８ｂへの送出を指示する情報としてあるのが好適である。尚、ＣＰＵ２１４から方路決定部２２８への方路情報の設定は、バス２２２を介して行われるのが望ましい。
【０１３７】
方路決定部２２８は、この方路情報に基づいて、ＴＥＩ割り当て要求として入力される第１のＬＡＰＤフレームデータを、複数の通信回線２０８のいずれに出力させるかを、データ出力情報として決定する。
【０１３８】
その後、方路選択部２３０は、方路決定部２２８から出力されたデータ出力情報に基づいて、複数の通信回線２０８のうち所定の通信回線を選択し、この所定の通信回線に第１のＬＡＰＤフレームデータを出力する。
【０１３９】
この第１のＬＡＰＤフレームデータは、既に説明したように、通信回線においてデータ折り返し部２１０で折り返されて、複数の通信回線２０８のいずれか、例えば所定の通信回線２０８ｃよりＬＡＰＤ終端装置２０６に再び入力される。第１のＬＡＰＤフレームデータは、この通信回線２０８ｃに接続される第３信号経路２４４ｃに、網側信号入出力部２４８ｃを介して入力されて、この第３信号経路２４４ｃに設けられたデータ処理部２２４ｃに入力される。
【０１４０】
この実施の形態によれば、第１試験を開始するとき、既に説明した第１の実施の形態と同様、ＬＡＰＤ終端装置２０６において、ＣＰＵ２１４から試験フレーム変換部２２０に試験モードが設定される。この試験モードの設定は、既に説明した第１の実施の形態と同様の手順により、ＣＰＵ２１４から試験フレーム変換部２２０へのセレクト信号の出力によって行われる。この場合、ＣＰＵ２１４は、データ処理部２２４ｃにセレクト信号を出力する。
【０１４１】
また、この実施の形態では、ＬＡＰＤ終端装置２０６において、ＣＰＵ２１４からデータ処理部２２４ｃに、予め、第１及び第２通信端末２０２ａ及び２０２ｂのそれぞれのＴＥＩ値が設定される。データ処理部２２４ｃの構成について、図２を参照して説明した試験フレーム変換部１２０の構成と対応させると、前述したＴＥＩ値は、このデータ処理部２２４ｃにおけるデータ改編部１２６のＣ／Ｒ反転、ＴＥＩ付与部１３６に設定されるのが好ましい。尚、前述した、ＣＰＵ２１４の、データ処理部２２４ｃに対するＴＥＩ値の設定は、バス２２２を介して行われるのが望ましい。尚、上述したデータ処理部２２４ｃに関する説明は、このデータ処理部２２４ｃ以外の複数のデータ処理部２２４のそれぞれについても同様である。
【０１４２】
（２）第２試験
次に、この実施の形態で行われる第２試験について説明する。この実施の形態によれば、第１の実施の形態と同様、第２試験では、第１及び第２通信端末２０２ａ及び２０２ｂの送信フレームデータとして、第２のＬＡＰＤフレームデータを用いる。この第２のＬＡＰＤフレームデータは、好ましくは、図５（Ａ）を参照して説明した第２のＬＡＰＤフレームデータ５００ａと同様の構成を有する。また、この実施の形態の第２試験は、図６に示すフローチャートを参照して説明した第１実施の形態と同様の手順によって行われるのが好ましい。よって、この実施の形態の第２のＬＡＰＤフレームデータ及び第２試験について、第１の実施の形態と重複する説明は省略する。
【０１４３】
また、この実施の形態によれば、ＬＡＰＤ試験において、試験フレーム変換部２２０によって改編済みの第２のＬＡＰＤフレームデータは、図５（Ｂ）を参照して説明した第２のＬＡＰＤフレームデータ５００ｂと同様の構成を有する。この改編済みの第２のＬＡＰＤフレームデータについても、第１の実施の形態と重複する説明は省略する。
【０１４４】
ここで、既に説明したように、第２試験のとき、ＬＡＰＤ終端装置２０６において、ＬＡＰＤ終端部２１６から、第１通信端末２０２ａ及び第２通信端末２０２ｂのいずれかの送信フレームデータである第２のＬＡＰＤフレームデータの送出が、試験フレーム変換部２２０を介して行われる。試験フレーム変換部２２０に入力された第２のＬＡＰＤフレームデータは、当該試験フレーム変換部２２０において、第２の実施の形態の（１）の項で説明した第１試験の第１のＬＡＰＤフレームデータと同様に処理された後、複数の通信回線２０８のいずれかに出力されるのが好ましい。よって、前述した、ＬＡＰＤ終端部２１６から試験フレーム変換部２２０に入力される第２のＬＡＰＤフレームデータに対する、この試験フレーム変換部２２０で行われる各処理について、第１試験と重複する説明は省略する。
【０１４５】
この実施の形態の第２試験では、第１試験と同様、ＬＡＰＤ終端装置２０６において、予め、ＣＰＵ２１４から方路決定部２２８に方路情報が設定されるのが好ましい。この方路情報は、第２のＬＡＰＤフレームデータを複数の通信回線２０８のいずれに送出するかの情報である。好ましくは、この実施の形態の第２試験における方路情報は、複数の通信端末２０２のそれぞれのＴＥＩ値と、複数の通信回線２０８のそれぞれとの対応関係に関する情報である。
【０１４６】
方路決定部２２８は、第２のＬＡＰＤフレームデータのアドレスフィールドのＴＥＩ値について、方路情報を確認し、かつ複数の通信回線２０８のうちこのＴＥＩ値と対応する通信回線に第２のＬＡＰＤフレームデータを送信することを、データ出力情報として決定する。
【０１４７】
ところで、試験フレーム変換部２２０から複数の通信回線２０８のいずれかに出力された第２のＬＡＰＤフレームデータは、既に説明したように、通信回線においてデータ折り返し部２１０で折り返されて、複数の通信回線２０８のいずれか、例えば所定の通信回線２０８ｃよりＬＡＰＤ終端装置２０６に再び入力される。第２のＬＡＰＤフレームデータは、この通信回線２０８ｃに接続される第３信号経路２４４ｃに、網側信号入出力部２４８ｃを介して入力され、この第３信号経路２４４ｃに設けられたデータ処理部２２４ｃに入力される。
【０１４８】
ここで、第２試験の開始のときにおける試験モードの設定では、このデータ処理部２２４ｃにはＣＰＵ２１４からセレクト信号が出力される。また、この実施の形態では、ＬＡＰＤ終端装置２０６において、ＣＰＵ２１４からデータ処理部２２４ｃに、予め、第１及び第２通信端末２０２ａ及び２０２ｂのそれぞれのＴＥＩ値が設定される。尚、上述したデータ処理部２２４ｃに関する説明は、このデータ処理部２２４ｃ以外の複数のデータ処理部２２４のそれぞれについても同様である。
【０１４９】
以上説明したこの実施の形態のＬＡＰＤ試験装置２００によれば、第１及び第２試験の際、複数の通信回線２０８のいずれかよりＬＡＰＤ終端装置２０６に入力される第１及び第２通信端末２０２ａ及び２０２ｂの第１及び第２のＬＡＰＤフレームデータは、第１の実施の形態のＬＡＰＤ試験装置１００と同様にして、試験フレーム変換部２２０において処理される。その結果、この実施の形態のＬＡＰＤ試験装置２００では、第１の実施の形態のＬＡＰＤ試験装置１００と同様の効果を得ることができる。
【０１５０】
尚、この実施の形態のＬＡＰＤ試験装置２００では、既に説明したように複数の通信端末２０２より複数組の通信端末を選択し、これら複数組の通信端末において、第１及び第２試験を同時に行うことも可能である。この際、ＬＡＰＤ終端装置２０６では、複数組の通信端末が通信を行うため、輻輳制御が行われる。この輻輳制御は、ＬＡＰＤ終端装置２０６において、バス２２２を介してＣＰＵ２１４によって行われる。よって、この実施の形態のＬＡＰＤ試験装置２００によれば、第１及び第２試験のとき、ＣＰＵ２１４によって行われる、前述した輻輳制御の正常性及び過負荷性について確認を行うことが出来る。
【０１５１】
【発明の効果】
以上説明したように、第１発明のＬＡＰＤ試験装置によれば、ＬＡＰＤ終端装置において、試験フレーム変換部が、通信回線から入力される送信フレームデータを改編し、ＬＡＰＤ終端部において受信可能な受信フレームデータに変換する。
【０１５２】
よって、第１発明のＬＡＰＤ試験装置では、ＬＡＰＤフレームデータを作成するためのプロトコルアナライザ、及びＩＳＤＮ対応交換機は設置することなく、第１及び第２通信端末間でＬＡＰＤに関する試験を行うことができる。すなわち、第１発明のＬＡＰＤ試験装置は、ＩＳＤＮ対応交換機を用いて試験を行う試験装置のように大規模なシステムとはならないため、システムを立ち上げるための時間を従来と比較して大幅に短縮することができ、その結果、デバッグに要する時間も含めた試験時間を大幅に短縮することができる。
【０１５３】
また、第１発明のＬＡＰＤ試験装置では、ＬＡＰＤフレームデータを作成するためのプロトコルアナライザ等の試験機が不必要であるため、ＬＡＰＤフレームデータ作成に関する、プロトコルアナライザ等の試験機のプログラムの作成も行う必要が無いという効果を得ることもできる。
【０１５４】
第２発明のＬＡＰＤ試験装置によれば、ＬＡＰＤ試験の際、複数の通信回線のいずれかよりＬＡＰＤ終端装置に入力される第１及び第２通信端末の送信フレームデータは、第１発明のＬＡＰＤ試験装置と同様にして、試験フレーム変換部において処理される。その結果、第２発明のＬＡＰＤ試験装置では、第１発明のＬＡＰＤ試験装置と同様の効果を得ることができる。
【０１５５】
また、第２発明のＬＡＰＤ試験装置では、第１及び第２通信端末を一組の通信端末とすれば、複数の通信端末より複数組の通信端末を選択し、これら複数組の通信端末において、ＬＡＰＤ試験を同時に行うことも可能である。この際、ＬＡＰＤ終端装置では、複数組の通信端末が通信を行うため、輻輳制御が行われる。よって、第２発明のＬＡＰＤ試験装置によれば、ＬＡＰＤ試験時、ＬＡＰＤ終端装置における、前述した輻輳制御の正常性及び過負荷性について確認を行うことが出来る。
【図面の簡単な説明】
【図１】第１の実施の形態のＬＡＰＤ試験装置の構成例を説明するための図である。
【図２】第１の実施の形態の試験フレーム変換部の構成例を説明するための図である。
【図３】（Ａ）は、改編前の第１のＬＡＰＤフレームデータの構成を説明するための図であり、（Ｂ）は、改編済みの第１のＬＡＰＤフレームデータの構成を説明するための図である。
【図４】第１試験の手順について説明するためのフローチャートである。
【図５】（Ａ）は、改編前の第２のＬＡＰＤフレームデータの構成を説明するための図であり、（Ｂ）は、改編済みの第２のＬＡＰＤフレームデータの構成を説明するための図である。
【図６】第２試験の手順について説明するためのフローチャートである。
【図７】第２の実施の形態のＬＡＰＤ試験装置の構成例を説明するための図である。
【図８】第２の実施の形態の試験フレーム変換部の構成例を説明するための図である。
【符号の説明】
１００、２００：ＬＡＰＤ試験装置
１０２、２０２ａ：第１通信端末
１０４、２０２ｂ：第２通信端末
１０６、２０６：ＬＡＰＤ終端装置
１０８、２０８ａ、２０８ｂ、２０８ｃ、２０８ｄ、２０８ｅ：通信回線
１１０、２１０：データ折り返し部
１１２：プロトコルアナライザ
１１４、２１４：ＣＰＵ
１１６、２１６：ＬＡＰＤ終端部
１１７、２１７：第１基本処理部
１１８、２１８：プログラムメモリ部
１２０、２２０：試験フレーム変換部
１２１、２２１：第２基本処理部
１２２、２２２：バス
１２４：前処理部
１２６：データ改編部
１２８：後処理部
１３０：出力信号選択部
１３２：フラグ検出部
１３４：０削除部
１３６：Ｃ／Ｒ反転、ＴＥＩ付与部
１３８：ＦＣＳ付与部
１４０：０挿入部
１４２：フラグ挿入部
１４４：第１信号経路
１４６：第２信号経路
１４８：網側信号入出力部
１５０：端末側信号入出力部
２０２：複数の通信端末
２０８：複数の通信回線
２２４：複数のデータ処理部
２２４ａ、２２４ｂ、２２４ｃ、２２４ｄ、２２４ｅ：データ処理部
２２６：方路決定前処理部
２２８：方路決定部
２３０：方路選択部
２３２：信号多重化部
２３４：フラグ検出部
２３６：０削除部
２４４：複数の第３信号経路
２４４ａ、２４４ｂ、２４４ｃ、２４４ｄ、２４４ｅ：第３信号経路
２４６：第４信号経路
２４８：複数の網側信号入出力部
２４８ａ、２４８ｂ、２４８ｃ、２４８ｄ、２４８ｅ：網側信号入出力部
２５０：端末側信号入出力部
３００ａ：第１のＬＡＰＤフレームデータ
３００ｂ：改編済みの第１のＬＡＰＤフレームデータ
３０２ａ、３０２ａａ、３０２ｂ、３０２ｂｂ、５０２ａ、５０２ａａ、５０２ｂ、５０２ｂｂ：フラグシーケンス
３０４、３０４ｃ、５０４、５０４ｃ：アドレスフィールド
３０６、５０６：制御フィールド
３０８：マネジメントエンティティ識別子
３１０：参照番号
３１２、３１２ｂ：メッセージ種別
３１４、３１４ｂ：動作表示
３１６、３１６ｃ、５１０、５１０ｃ：フレームチェックシーケンスフィールド
５００ａ：第２のＬＡＰＤフレームデータ
５００ｂ：改編済みの第２のＬＡＰＤフレームデータ
５０８：情報フィールド
【図１】
2004253864.tif 000003
【図２】
2004253864.tif 000004
【図３】
2004253864.tif 000005
【図４】
2004253864.tif 000006
【図５】
2004253864.tif 000007
【図６】
2004253864.tif 000008
【図７】
2004253864.tif 000009
【図８】
2004253864.tif 000010